Podtech/llm-jp-corpus-v4-ja_patent huggingface dataset:
(57)【要約】
【課題】　従来から使われている漢字ドリルは内容が一律であり、学習者個々の実態に応じて練習量を加減することができない。また、各漢字の練習スペースは限られており、習熟に必要なだけの練習が確保されることは稀である。しかし、練習量を増やすために同じ教材を複数購入することは難しい。一般的に販売されておらず、また費用がかさむためである。
　一方一般に販売されている漢字ノートは、購入が容易で、汎用性が高い点では漢字学習に際し非常に有効であるが、書き込み用のマス目が連続しているだけであり、手本文字等が印刷されている漢字ドリルと比較すると、練習量が同じ場合には学習効果において劣る。
【解決手段】　そこで、学習する漢字を漢字ノートのマス目に合わせたシールに印刷する。そのシールを漢字ノートに貼ることにより、漢字ドリル同様の学習効果を達成すると同時に、自由に貼付することにより漢字の習熟に十分な練習量を確保することができる。
【選択図】　図１
0003100031.tif 000002
【実用新案登録請求の範囲】
【請求項１】
　漢字１文字の印刷、及び漢字ノートのマス目のひとつ又は複数を模した、又は漢字ノートのマス目のひとつ又は複数と読み方用スペースを模した印刷を施したシール。
【請求項２】
　請求項１のシールを１単位とし、複数単位の大きさにあたるシールにそれぞれ同様に複数単位分の印刷を施したシール。
【請求項３】
　上記請求項１または請求項２のシールと同じ程度の大きさのシールに漢字１文字または複数文字のみを印刷したシール。
【考案の詳細な説明】
【技術分野】
【０００１】　本考案は効果的に漢字学習するための漢字学習用教材に関する。
【背景技術】
【０００２】　従来、主に小学校等で用いられる一般的な漢字学習用教材には、大別して２種類が存在する。【０００３】　一方は、各ページが、連続して並んだ、線分によって四角形に仕切られたマス目で構成されているノートである。各マス目は漢字学習に適するように、比較的大きなものになっており、学習者はひとつのマス目にひとつの漢字を書くことにより学習する。各行間には読み方等が書き込めるようにスペースが設けられている（以下読み方用スペースという）。文房具店などで購入することができ、一般に漢字ノートと呼称されるものである。なお、当業者間では１ページにおけるマス目の数によって種類を区別し、漢字５０字ノート、漢字８４字ノート、漢字１００字ノート等と呼称される。【０００４】　他方は、あらかじめ手本文字及び読み方、書き順、止め、はね等の留意点等が印刷されており、それに伴う練習用のスペースが確保されている漢字学習用教材であり、いわゆる漢字ドリルである。学習者は手本文字を参考にしながら、設けられたスペースに自分で漢字を書き込むことにより学習する。学校等でまとめて購入することが多く、一般的には売られていない場合が多い。
【考案の開示】
【考案が解決しようとする課題】
【０００５】　上記漢字ドリルは内容が一律であり、学習者個々の実態に応じて練習量を加減することができない。また、各漢字の練習スペースは限られており、習熟に必要なだけの練習が確保されることは稀である。しかし、練習量を増やすために同じ教材を複数購入することは難しい。一般的に販売されておらず、また費用がかさむためである。【０００６】　上記漢字ノートは、購入が容易で、汎用性が高い点では漢字学習に際し非常に有効であるが、書き込み用のマス目が連続しているだけであり、手本文字等が印刷されている漢字ドリルと比較すると、練習量が同じ場合には学習効果において劣る。【０００７】　本考案は、漢字ドリルの、練習量あたりの学習効果を維持しつつ、十分な練習量を確保することを課題とする。
【課題を解決するための手段】
【０００８】　適当な大きさのシールの表面（粘着面ではない側）に、学習する漢字１文字、及び漢字ノートのマス目のひとつ又は複数を模した、又は漢字ノートのマス目のひとつ又は複数と読み方用スペースを模した印刷する。【０００９】　上記シールを１単位とし、複数単位の大きさにあたるシールにそれぞれ同様に複数単位分（漢字はそれぞれ別である場合を含む）の印刷をする。【００１０】　上記【０００８】または【０００９】のシールと同じ程度の大きさのシールに漢字１文字または複数文字のみを印刷する。【００１１】　シールとはシート状もしくは紙状のもので片側が粘着面になっている貼付を目的とした物を全て含む。
【考案の効果】
【００１２】　上記シールを漢字ノートのマス目にあわせて貼ることによって、それを手本文字とすることができ漢字ドリルと同等の学習効果を得ることができる。また、購入の容易な漢字ノートを使用し、自由にシールを貼ることにより漢字の習熟に必要なだけの練習量を確保することができる。【００１３】　貼付することが簡単であるシールの特性により学習者専用の漢字学習教材が容易に作成できる。
【考案を実施するための最良の形態】
【００１４】　シールの表面に学習する漢字１文字と　漢字５０字ノート、あるいは漢字８４字ノート、あるいは漢字１００字ノートのそれぞれのマス目を模した印刷する。【００１５】　シールには必要に応じて読み方、書き順、止め、はね、字のバランス等留意点の印刷を付加することができる。その際、読み方等を十分に印刷できるようにシールを複数マス分の大きさにすることができる。
【図面の簡単な説明】
【００１６】
【図１】　上記
【０００８】の考案を示した平面図である。図の中に書いた漢字及び読み方は一例である。また、マス目の中の点線は実際の漢字ノートのマス目を模したものであり、不可視の部分等を指したものではない。【図２】　上記
【０００９】の考案を示した平面図である。図の中に書いた漢字及び読み方は一例である。また、マス目の中の点線は実際の漢字ノートのマス目を模したものであり、不可視の部分等を指したものではない。
【符号の説明】
【００１７】　１　台紙となるシール全体を示す。
　２　漢字を印刷するマス目を示す。
　３　読み方用スペースを示す。
【図１】
0003100031.tif 000003
【図２】
0003100031.tif 000004
(57)【要約】　　　（修正有）【課題】犬用ダブルリング握り部付引き網において引き綱本体の中央に輪と握り部を設け、第三者に与える危害等の事故防止をする。【解決手段】引き綱本体１の中央に二股に分離させた３の輪を設け、輪を露出させる為の、握り部４を設け、保護袋５と握り部９に接着させ、握り部をスライドさせると同時に保護袋もスライドし、握り部１０によって３の輪の端で停止する。握り部７の凸と８の凹の摩擦によって停止状態になる為、３の露出した輪の中に手首が容易に挿入できる形状が保たれる。握り部１１は鑑札番号、愛犬の写真等が収納できるケースとなっている。３の輪の中に手首を入れて引き綱を握る事により、容易に制御ができ危険回避と事故防止に役立つ。【選択図】図１
0003100034.tif 000002
【実用新案登録請求の範囲】
【請求項１】
　犬用引き綱の中央に二股に分離させた輪を設け、当該輪の露出を保護するための保護袋を設けるとともに、その保護袋と握り部を設け、自在としたところを特徴とする犬用引き綱。
【考案の詳細な説明】
【技術分野】
【０００１】　本考案は、安定した制御をするため、犬用引き綱の中央に輪を設け、輪を保護する為の保護袋と握り部を設けた犬用引き綱に関するものである。
【背景分野】
【０００２】　犬用引き綱は、引き綱の端に輪が一つであるため、散歩中の犬を確実に制御することが困難である。
【考案の開示】
【考案が解決しようとする課題】
【０００３】　狭い道で、他の犬や通行人とすれ違う時、犬を自分の手元に引き寄せたい時に中央辺りを掴んだり、手持ちの引き綱をぐるぐると手に巻き付けた引き綱が絞まり、手が痛く苦痛である。従って、引き綱の中央に手首が入る輪を設け、状況に応じて中央に設けた保護袋に接続している握り部を掴んで制御したり、握り部をスライドさせて露出した輪に片方の手首を輪の中に入れて引き綱を握ることによって、握力、腕力の弱い老若男女にも、容易に犬を手元に引き寄せる事が可能になり前述の欠点を解決しようとするものである。
【考案が解決しようとする手段】
【０００４】　引き綱の中央に輪を設け、その輪の中に手首を入れ、引き綱を握る事に依り制御が確実になり、引き綱を握力、腕力等で引き寄せる不安定な状態の欠点を解決するものである。
【考案の効果】
【０００５】　引き綱の中央に輪を設け、その輪の中に手首を入れて引き綱を握る事に依り、楽に制御ができ、従来の引き綱は手の握力、腕力のみで引き寄せる等、不安定な状態の欠点を解決するものであり、第三者に与える危害を最小限に抑える効果がある。
【考案の効果】
【０００６】　引き綱の端の輪と中央に新たに輪を設け、中央の輪に通常保護する為の保護袋とスライドさせる握り部が連動するため、必要な事態の時に握り部をスライドさせ、露出した輪の中に手首を入れた状態で引き綱を握ることで、引き手が安定した状態になる。
【実施例】
【０００７】　以下、添付図面に従って一実施例を説明する。１は耐久性のナイロン材質等適宜素材にて一体化形成された引き綱、３は犬を引き寄せる時に握り部をスライドさせて露出した輪の中に手首を入れ、引き綱を掴んで強く引き寄せる事ができ、引き手の安定感が保たれる。
【産業上の利用可能性】
【図面の簡単な説明】
【０００８】
【図１】本考案の犬用ダブルリング握り部付引き綱の一実施例を示した正面図である。
【図２】本引き綱の握り部を示した断面図である。
【図３】本引き綱の握り部を示した側面図である。
【図４】本引き綱の握り部に接続する保護袋を示した正面図である。
【図５】本引き綱の握り部に接続する保護袋を示した側面図である。
【符号の説明】
【０００９】　１　引き綱本体
　２　首輪に接合する金具
　３　中央に設けた輪
　４　握り部本体
　５　保護袋
　６　引き綱の輪
　７　滑り止め凸部
　８　滑り止め凹部
　９　保護袋の接着部
１０　握り部の制御部
１１　収納ケース
【図１】
0003100034.tif 000003
【図２】
0003100034.tif 000004
【図３】
0003100034.tif 000005
【図４】
0003100034.tif 000006
【図５】
0003100034.tif 000007
(57)【要約】
【課題】　携帯電話の電波に反応して綺麗な発光をするアクセサリーのケース表面にユーザーが愛好するプリクラ写真等を貼付けると、長期的には剥がれ、汚れが発生する。
【解決手段】　ケース表面に透明軟質樹脂製のポケットを設け、その内部にプリクラ写真等を収納することにより、剥がれ、汚れ等の問題から解放されて、前述収納物を何時までも綺麗な状態で楽しむことができる。
【選択図】　図１
0003100087.tif 000002
【実用新案登録請求の範囲】
【請求項１】
　ソフトＰＶＣ或いは硬質樹脂（アクリルなど）による成型品にＩＣ及びＬＥＤを主要部材として携帯電話の電波に反応して点滅する装置を内蔵し、且つ、見やすい位置に写真を挿入するポケット状のスペースを有するアクセサリーの構造。
【考案の詳細な説明】
【技術分野】
【０００１】　この考案は電波に反応するＩＣと、このＩＣから電力を受けて発光するＬＥＤにより構成される装置（以下、電波感応点滅装置と呼ぶ）を内蔵しており、携帯電話から発信される電波に反応して着発信時に点滅するアクセサリーに関する。
【背景技術】
【０００２】　携帯電話の電波に反応するストラップ、ペンダント等は数年前より当社が企画・発売し、消費者に支持され全国いたるところで見かけることが出来る人気グッズである。この電波感応点滅装置は軟質又は硬質の透明又は半透明樹脂製ケースに収納されており、ケース内部で発光するＬＥＤが外部から見えるように構成されている。【０００３】　製造時にこのケースの内側に図或いは写真を貼付けて外部から見えるようにデザインされた製品がある。この場合はメーカーが選定したものか、或いは大量に発注する注文者が指定した図或いは写真である。この製品の最終使用者が希望する図或いは写真をケースの内側に貼付ける手段はない。【０００４】　このため、個別のユーザーが「プリントクラブ」（「プリクラ」とも言う）等で作成した写真等をこの製品に貼付けたい場合、従来はケースの外部である表面に貼付けるしか方法がなかった。
【考案の開示】
【考案が解決しようとする課題】
【０００５】　ケースの外部に写真等を貼付けると、この部位が絶えず衣服、身体等の周囲の物体と接触する位置にあるため、汚れや剥がれが生じる欠点があった。
【課題を解決するための手段】
【０００６】　　この欠点を解決するために、前述ケースの上に写真等が出し入れ可能な構造の透明軟質ポケットを設けるのが有効である。
【考案の効果】
【０００７】　この考案によるアクセサリーを電波感応式写真入りストラップとして構成する場合は受発信を感知する事が出来ると共に受発信時以外には自分の好みの写真の入ったストラップのアクセサリーとして楽しむことが出来る。
　また、電波感応装置を内蔵するカバーは様々な樹脂素材で作成出来るため長方形、正方形等の形と自由なサイズの外観を有する製品を製造することができ、ユーザーの多様な需要に対応可能で、商品価値を高めることができる。
【考案を実施するための最良の形態】
【０００８】　この種のアクセサリーを製作するための構造として組み合わされたカバー内部に電波感応装置及び仕切り板、カバー外部に挿入口を設ける。
【実施例】
【０００９】　以下、図面を用いてこの考案になるバッジの実施例を説明する。図１−Ａはこの考案になるアクセサリーの全体像である。
　図１−Ｂは写真等を挿入する前の正面図である。
　図２はこの考案になるアクセサリーの分解図である。【００１０】　図２に見るように、電波感応装置２と写真等を挿入するスペースを確保する為の仕切り板３はカバー１と４に挟み込まれている。【００１１】　図２で見るようにカバー１、４は組み合わされる為に各々の四隅に凹凸の加工がなされている。また、組み合わせた時に上部には写真等を挿入する為の入り口が設けられている。【００１２】この商品ではカバー１に設けられた耳５に空けられた穴にストラップ６或いはボールチェーンが通されている。これらの組み合わせは単に具体的な諸品設計の問題で、本考案の本質を構成する要素ではない。
【図面の簡単な説明】
【００１３】
【図１】本考案になるアクセサリーの正面図である。
【図２】本考案になるアクセサリーの分解図である。
【符号の説明】
【００１４】　　１　　カバー
　　２　　電波感応装置
　　３　　仕切り板
　　４　　カバー
　　５　　耳
　　６　　ストラップ
　　７　　写真等
【図１】
0003100087.tif 000003
【図２】
0003100087.tif 000004
(57)【要約】
【課題】　自動車を水害による水没から保護する事を目的とした、浮力のある空気袋付き布製の箱。
【解決手段】　自動車に適合した大きさで、箱状に加工した防水布の周囲に、空気袋を結合した水害防止袋の中央に車を止め、その空気袋に車の排気ガスで充満させて浮力を持たせる、周辺の水位によって上下し、自動車を水没から保護する。
【選択図】　図１
0003100090.tif 000002
【実用新案登録請求の範囲】
【請求項１】
　空気袋の下に箱型の防水布を結合させた袋の中央に自動車を置き、空気袋を自動車の排気ガスで膨らませ、周囲の水位の上昇と共に空気袋が上昇し自動車を水害から保護する事を目的とした、空気袋付き水害防止袋。
【考案の詳細な説明】
【考案の詳細な説明】
【考案が解決しようとする課題】
【０００１】　台風、集中豪雨等で増水した時に、自動車が水没しているのをテレビで見るが、あの状態から、自動車を保護する事に利用する。
【背景技術】
【０００２】　大雨警報が出ても高台に避難するしか方法がなく、周辺に高台のない地区では自然にまかせるしかなかった。
【考案が解決しようとする課題】
【０００３】　特別の工具を使用しなく、また、設置や収納が簡単に出来る事を最大の課題とした。
【課題を解決する為の手段】
【０００４】　浮力を得るための空気袋は自動車の排気ガスを利用し、その注入口は折り曲げる事で蜜封出来。布は防水と加工の簡易性からポリプロピレン系にすると、折り畳んだ時の容積も小さく収納、携帯が便利になる。
【作用】
【０００５】　集中豪雨で雨量５０ミリとの放送でも、多くの自動車が水没している映像を見る時、他の場所で降った雨が集合して発生している。降水量から考えると、５０ミリの雨量は軽四輪車でもタイヤホイルは水面から上になり濡れる事はない。自動車を布製の箱に入れ、周辺に浮力を持たせた空気袋を取り付け、増水した水位に応じて上下させると、車は水没より保護する事ができる。
【実施例】
【０００６】　地面に吸気ホースの位置を確認して敷き、自動車をその中央に止める、筒状の空気袋の吸気ホースと自動車の排気管を接続してエンジンを始動させて空気袋を膨らませる。完全に膨らんだら、吸気ホースを折り曲げて紐で結んで蜜封する。水位が上昇すると自動車の外周を空気袋は上昇して車に浸水する事を保護する。車高の低い車でも１００ミリ程度の雨量では車内に水が侵入する事はない。市販の水位感知式の自動排水ポンプを自動車の蓄電池を利用して排水すると完璧となる。　周囲の水位が下ったら、吸気ホースを解放し空気を放出し、自動車を移動させて撤収する。
【考案の効果】
【０００７】　高価な自動車でも、座席が濡れる程度に水没させると、完全に整備しても数ヶ月で次々と異常な部分が発生する、最近の車はコンピュータを座席の下に収納している車種もあるので、海水を含んだ水に濡れると修理不能になる。この袋を使用すると、水害発生時は、浮力のある空気袋が水面に応じて上下し、自動車を水没から完全に保護する。空気袋は水圧で車体に押しつけられた状態で上下するが、双方共、雨に濡れているので、その雨水が潤滑剤となり車体を傷付ける事はない。
【図面の簡単な説明】
【図１】　設置時の概略側面図
【図２】　使用開始時の概略側面図
【図３】　水没時の概側面面図
【符号の説明】
１−空気袋
２−排気ガス注入口
３−布製袋
４−水面
【図１】
0003100090.tif 000003
【図２】
0003100090.tif 000004
【図３】
0003100090.tif 000005
(57)【要約】
【課題】正確でなくてもよいが、簡単に計測して身体データ等を確認する。
【解決手段】本考案は、タオル１の図柄として目盛りとなる線と数字を設け、メジャー２として使用できるようにし、また身体データ等を設けたことで入浴後等のタオル使用時に簡単に計測やデータとの比較確認が可能であり、乳幼児やペット等もその上に寝かせるだけでサイズを計測することができ、メジャーを用意し体に当てる手間も不要である。
【選択図】　　図１
0003100063.tif 000002
【実用新案登録請求の範囲】
【請求項１】
　タオルの図柄として目盛りとなる線や色分けによる線と数字を設け、メジャーとして使用できることを特徴とするタオル
【請求項２】
　請求項１のタオルに身体等のデータを設けたもの。
【考案の詳細な説明】
【技術分野】
【０００１】　本考案は、タオルにメジャー及び身体データ等を設けたタオルに関するものである。
【背景技術】
【０００２】　従来、タオルには、メジャーや身体データ等はなく、別々のものである為、計測したり比較確認するには、それぞれを用意しなければならなかった。乳幼児やペットは、動くこともあるのでメジャーを体に当てることが困難であった。
【考案の開示】
【考案が解決しようとする課題】
【０００３】　正確でなくてもよいが、簡単に計測して身体データを確認したい時や、日常生活の中で定期的に確認したい時に身近にあるタオルを利用し解決しようとするものである。
【課題を解決するための手段】
【０００４】　本考案は、タオルの図柄として目盛りとなる線や色分けによる線と数字を設け、メジャーとして使用できるようにし、また身体データ等を設けたことで入浴後等のタオル使用時に簡単に計測やデータとの比較確認が可能となり問題を解決している。
【考案の効果】
【０００５】　本考案はこのような構成であるから、入浴後等にタオルで体を拭く時にメジャーを使用し、簡単に体のサイズを計測することができ、またデータも一見して確認できる為、比較確認することができる。乳幼児やペット等もその上に寝かせるだけでサイズを計測することができ、メジャーを用意し体に当てる手間も不要である。
【考案を実施するための最良の形態】
【０００６】　バスタオル等の図柄に目盛りとなる線と数字を設け、メジャーとして使用し、また平均身長、ウエストサイズ、体重等の様々なデータを設ける。これにより入浴後等の日常生活の中で確認する機会を得ることができる。乳幼児やペットを計測したい場合には、タオルを広げてその上に寝かせるだけで幅の広いメジャーとして使用が可能になり、前述の欠点を解決しようとするものである。
【実施例】
【０００７】　以下、添付図面に従って一実施例を説明する。１は、タオル本体、２は、その図柄でメジャーとして使用する線と数字、３は、その図柄で平均身長、ウエストサイズ、体重、カロリー、運動量等の様々なデータ、乳幼児やペット用には、それぞれに応じたデータとする。
【図面の簡単な説明】
【０００８】
【図１】本考案のメジャー及びデータ付きタオルの一実施例を示した平面図である。
【符号の説明】
【０００９】　　　　１タオル
　　　　２メジャーとして目盛りとなる線と数字
　　　　３身体等のデータ
【図１】
0003100063.tif 000003
(57)【要約】　　　（修正有）【課題】授乳時に授乳者の乳房がはだけるおそれがなく、更に授乳者の腕と肩の負担を軽減する防寒・保温機能のある授乳カバーを得る。【解決手段】授乳用カバー４は、布、織物、編み物又は合成樹脂シートによって環状帯を形成し、この環状帯の上縁部及び下縁部を弾性変形可能に構成する。前記環状帯の大きさは、上下寸法を授乳者５の肩から腹部にかけて覆う寸法とし、内寸を授乳者５が乳児６を抱き入れて装着できる寸法とする。【選択図】　　図２
0003100068.tif 000002
【実用新案登録請求の範囲】
【請求項１】
布、織物、編み物又は合成樹脂シートによって環状帯を形成し、この環状帯の上縁部及び下縁部を弾性的に伸縮自在に構成し、
前記環状帯の大きさは、上下寸法を授乳者の肩から腹部にかけて覆う寸法とし、内寸を授乳者が乳児を抱き入れて装着できる寸法とした、授乳用カバー
【考案の詳細な説明】
【技術分野】
【０００１】
　この考案は、授乳用カバーに関するものである。
【背景技術】
【０００２】
　屋外や外出先などで授乳する際には、授乳時に乳房が他人から見えないように工夫する必要がある。そのために、ポンチョ型として授乳者が頭からかぶるようにしたものなどが提案されている。
　また、授乳時には授乳者の肌が露出するので、寒い季節には授乳者の肌を防寒具で覆う必要がある。そのために、従来は毛布にくるまって授乳したり、半天を羽織って授乳するなどの方法が取られているが、これらの方法は授乳者の肌がはだけるおそれがあり、また外出先での授乳には適さない。
　更に、授乳する場合には、授乳者は授乳が完了するまで乳児を抱きかかえていなければならず、腕や肩が疲れるという問題もあった。
【考案の開示】
【考案が解決しようとする課題】
【０００３】
　この考案は、授乳用カバーにおいて、第一に、携帯に適し、授乳時に授乳者の乳房がはだけるおそれがないこと、第二に、授乳者の腕と肩の負担を軽減すること、第三に、寒い時期には授乳者、乳児が密着することで暖かく授乳でき、第四に、脱着が容易であることを課題とするものである。
【課題を解決するための手段】
【０００４】
　この考案の授乳用カバーは、布、織物、編み物又は合成樹脂シートによって環状帯を形成し、この環状帯の上縁部及び下縁部を弾性的に伸縮自在に構成する。前記環状帯の大きさは、上下寸法を授乳者の肩から腹部にかけて覆う寸法とし、内寸を授乳者が乳児を抱き入れて装着できる寸法とする。
　前記環状帯の素材としては、軽く防寒性の高いフリース素材が好適である。また、上縁部、下縁部を弾性的に伸縮自在とする構成としては、ゴムを装着したり、弾力性のある素材を用いるなどの構成とする。
　なお、この考案における環状帯の素材は、防寒機能を得るためにはフリース、毛織物、ウール又は化学繊維の編み物などが適し、防寒機能が不要な場合は、適宜の布地や合成樹脂地を使用することもできる。
【考案の効果】
【０００５】
　この考案の授乳用カバーは、授乳者が頭からかぶり、その中で乳児を抱えて授乳する。
　このとき、上部のゴムによって上部が狭窄されるので、授乳時に授乳者の肌がはだけるおそれがない。また、下部のゴムによって下部が狭窄され、この狭窄部に腕を委ねることができるので、授乳者の腕と肩の負担を軽減することができる。
　また、環状帯の素材としてフリースなど防寒性の高い素材を使用すると、寒い時期には授乳者、乳児がカバーの中で一体に密着することで共に暖かく授乳できる。
　そしてこの授乳用カバーは小さく折り畳むことができるので、携帯にも適している。更に、膝掛けとして使用したり、授乳用カバーの上に乳児を横たえておむつの交換をすることもできる。
【考案を実施するための最良の形態】
【０００６】
　以下に、最良の形態としての実施例を示す。
【実施例】
【０００７】
　図１において、フリース素材で環状帯１が形成してあり、この環状帯１の上縁部２及び下縁部３にゴムを装着して、この考案の授乳用カバー４を構成している。
　前記環状帯１の大きさは、上下寸法（フリース素材の幅）は授乳者の肩から腹部を覆うようにしてある。また環状帯１の内寸は、この授乳用カバー４を着用した授乳者がこの授乳用カバー４の中で乳児を抱き入れてかかえることのできる寸法としてある。
【０００８】
　図２は、この考案の授乳用カバー４の使用状態を示すものである。
　授乳者５はこの授乳用カバー４を頭からかぶり、胴部に着用する。次いで上部のゴムを伸ばして乳児用カバー４の中で乳児６を抱きかかえる。この時授乳用カバー４の下部はゴムによって狭窄されている。
　上記の状態で、授乳者５は乳児６に乳首を含ませて、又はほ乳瓶により授乳する。
【０００９】
　この授乳用カバー４を使用することにより以下の作用効果が得られる。
１）授乳用カバー４の上縁部を首ないし肩に係止させておくことにより授乳用カバー４の位置は安定する。そして授乳用カバー４の上部のゴムによって上縁部２を狭窄させることができる。したがって、授乳時に乳房が隠されるので、外出先でも安心して授乳することができる。
２）授乳用カバー４によって授乳者５の肩部分が覆われ、胸部分に対しても側方が覆われるので、授乳者５が授乳するときに、防寒機能が得られる。同様に、乳児６も体全体が環状帯で覆われるので、暖かい状態で授乳を行うことができる。
３）授乳用カバー４の下縁部３はゴムによって狭窄されており、授乳者５はこのゴム入りの下縁部３に腕を委ねて腕と肩の支えとすることができるので、授乳時における腕と肩の疲労を軽減することができる。
４）図３に示すように、この授乳用カバー４を敷きその上に乳児６を横たえることができるので、おむつ交換用のシートとしても使用することができる。
５）図４に示すように、ベビーカー乗用時などに膝掛けとして使用することができる。
６）図５に示すように、この授乳用カバー４を折り畳んで携帯用の袋７に収納して携帯することができる。そして袋７に収納された乳児用カバー４はクッション材として機能するので、外出先においてクッションとして使用することもできる。
【産業上の利用可能性】
【００１０】
　この考案の授乳用カバーは、容易に商品化可能であり、産業上利用し得るものである。
【図面の簡単な説明】
【００１１】
【図１】この考案実施例の斜視図
【図２】同じく授乳時の斜視図
【図３】同じくおむつ交換シートとしての使用状態の平面図
【図４】同じく膝掛けとしての使用状態を示す斜視図
【図５】同じく携帯用袋に収納した状態の斜視図
【符号の説明】
【００１２】
　１　　　環状帯
　２　　　上縁部
　３　　　下縁部
　４　　　授乳用カバー
　５　　　授乳者
　６　　　乳児
　
【図１】
0003100068.tif 000003
【図２】
0003100068.tif 000004
【図３】
0003100068.tif 000005
【図４】
0003100068.tif 000006
【図５】
0003100068.tif 000007
(57)【要約】
【課題】　皮膚の弱い者にとっては、清潔にかつ皮膚の剥離を防ぎながら、痒みを緩和する必要があるが、爪で掻くと清潔でなく、かつ皮膚が剥離しやすい。
【解決手段】　皮膚との接触面積が最小限となり、かつ皮膚との接触角度が浅くなる「角」を有する先端で掻くことで、皮膚の薄利を防止しつつ、神経を刺激することで痒みを緩和させる。
　先端に溝や隙間を無くすることで汚れがたまりにくく、かつ洗浄しやすくなる。
【選択図】　図６
0003100099.tif 000002
【実用新案登録請求の範囲】
【請求項１】
　歯ブラシ程度の大きさの本体の先端の角で皮膚を刺激することにより皮膚の剥離を低減しつつ、痒みを緩和する。
【請求項２】
　先端の形状について、汚れのたまりやすい溝や隙間を無くした形状とすることで、汚れがたまりにくく、かつ洗浄しやすくする。
【考案の詳細な説明】
【技術分野】
【０００１】本発明は、アトピー性皮膚炎等の皮膚の弱い者でも安心して全身を掻くための道具である。清潔にかつ皮膚の剥離を防止しつつ痒みを緩和させるために考案した道具である。
【背景技術】
【０００２】耳かきは全身を強く掻くには強度が弱く、背中を掻く道具は長すぎるため、顔、首及び腕といった部位を掻くには適していない。【０００３】耳かきや背中を掻く棒の先端の形状はシャベル状になっていて、耳あかをこそげ落としたり、できるだけ広範囲を掻く形状となっているため、力を入れると皮膚が剥離しやすく、皮膚の弱い者には適していない。【０００４】先端の形状が湾曲し溝の入ったたへら状やブラシ状のものでは、汚れがたまりやすく、アトピー性皮膚炎等の皮膚の疾患のある者には、清潔ではない。
【考案が解決しようとする課題】
【０００５】皮膚の弱い者にとっては、皮膚の剥離を防止しながら痒みを緩和する必要がある。
【０００６】皮膚に疾患のある者でも傷を悪化させないように、清潔である必要がある。
【課題を解決するための手段】
【０００７】皮膚との接触面積が最小限となりかつ皮膚との接触角度が浅くなる「角」を有する先端で掻くことにより、皮膚の剥離を防止しながら、痒みを緩和する。
【０００８】道具の掻く部分に溝や隙間を無くし、汚れがたまりにくく、かつ洗浄しやすくする。
【考案の効果】
【０００９】爪で掻いた場合より、神経への刺激が強く、少量掻いただけでも痒みを緩和する効果が大きい。
【００１０】角で掻くため、仮に傷になっても皮膚が広範囲に剥離しないため、傷の治りが早い。
【００１１】少量掻いただけで、爪で掻くより痒みが緩和され、また、皮膚が剥離しにくいため、安心して掻くことができ、掻くことのストレスによる更なる痒みを誘発しにくい。
【００１２】爪で掻くより清潔で、傷を悪化させにくい。
【考案を実施するための最良の形態】
【００１３】顔、首及び腕といった部位を掻きやすくするために歯ブラシ程度の大きさとする。【００１４】先端に角を設け、その角で掻くことで、皮膚との接触面積が最小限となり、かつ、角の形状が皮膚を上から押さえつつ皮膚を刺激するので、皮膚が剥離しにくい。【００１５】接触した部位が切り傷とならないようにほんの少し角の先端を削る。【００１６】強く掻いても先端が破損しないように、力が加わる方向に対して厚みを持たせた形状（上部から見て台形）とする。【００１７】先端には、隙間や溝を無くし、汚れをたまりにくくするとともに、洗浄しやすくする。【００１８】強く掻いても柄が折れないように、歯ブラシ程度の太さとする。
【実施例】
【００１９】先端の角で、皮膚を刺激する。
【産業上の利用可能性】
【００２０】現在アトピー性皮膚炎等の者以外にも広く、身体の痒みを緩和させたい者も使用できる。
【図面の簡単な説明】
【図１】道具を示した上面図である。
【図２】道具を示した側面図である。
【図３】道具の先端を示した拡大前面図である。
【図４】道具の先端を示した拡大側面図である。
【図５】角と皮膚の接触部分を示した拡大側面図である。
【図６】道具を示した立体図である。
【符号の説明】
　　１　本体
　　２　先端
　　３　皮膚
【図１】
0003100099.tif 000003
【図２】
0003100099.tif 000004
【図３】
0003100099.tif 000005
【図４】
0003100099.tif 000006
【図５】
0003100099.tif 000007
【図６】
0003100099.tif 000008
【手続補正書】
【提出日】平成15年9月26日(2003.9.26)
【手続補正１】
【補正対象書類名】実用新案登録請求の範囲
【補正対象項目名】全文
【補正方法】変更
【補正の内容】
【実用新案登録請求の範囲】
【請求項１】
先端が多角形の断面を持ち、その先端の角で皮膚の痒みを緩和する棒状の道具
【請求項２】
汚れのたまりやすい溝や隙間を無くした先端形状を有する痒みを緩和する道具
(57)【要約】　　　（修正有）【課題】自然解凍より早く解凍することのできる刺身パックを提供する。【解決手段】寿司ネタを一枚一枚重ならないように薄いトレーに並べて真空パックして冷凍し、解凍するときは、真空パックのままお湯（４０度前後）の中に入れておくと、自然解凍より早く解凍できる。【選択図】図１
0003100097.tif 000002
【実用新案登録請求の範囲】
【請求項１】
（１）寿司ネタ（刺身）を１枚１枚重ならないように、薄いトレーに並べ、ナイロンポリ袋で真空パックして、冷凍した刺身のパックが、ぬるい湯ですぐに解凍できるようにした刺身パック
【考案の詳細な説明】
【０００１】
【考案の属する技術分野】
【０００２】冷凍寿司のネタ（又は刺身）が早く解凍するための包装形態に関する発明
【従来の技術】
【０００３】従来は、冷凍のスライスされた刺身のパックは、ネタ（又は刺身）が１枚１枚が重なりすぎていて、自然解凍するには時間がかかり、ぬるま湯での解凍には鮮度が落ちてしまった
【考案が解決しようとする課題】
【０００４】冷凍の寿司ネタ（又は刺身）をぬるま湯でもすぐに解凍できるようにした
【課題を解決するための手段】
【０００５】寿司ネタ（刺身）を１枚１枚重ならないようにトレーに並べて真空パックして冷凍した
【考案の実施の形態】
【０００６】本考案は冷凍の寿司めしと冷凍ネタ（刺身）を組み合わせして、冷凍寿司セットとしての組み合わせの商品であり、簡単にそして、すぐに寿司が食べれるようにしたものである
【実施例】
【０００７】冷凍寿司めしとの組み合わせによる、早くて簡単な解凍方法に応用ができる
【考案の効果】
【０００８】このようにすれば、冷凍の刺身パックはぬるま湯（４０℃）で５分くらいで解凍され、すぐに新鮮な刺身が用意できる。冷凍の寿司めしを解凍すれば、自宅で簡単に寿司が誰でも作れ、楽しめる。
【図面の簡単な説明】
【図１】寿司ネタ（刺身）を１枚１枚重ならないように並べた平面図である
【図２】並べた寿司ネタ（刺身）を真空パックした上面図である
【図１】
0003100097.tif 000003
【図２】
0003100097.tif 000004
(57)【要約】【課題】掛け布団の機能を損なわないで、考案したガード１により内側に空間２を造り、就寝者の下半身を掛け布団３の重圧から開放するとともに、ガードを利用して掛け布団のズレや滑落を防止する。【解決手段】半円形で鉄製の、上からの重圧に十分耐えられる強さのガード１を考案、横臥した就寝者の下半身部分を覆うように装着しその上に掛け布団３をかける。足・腰の自由を確保、寝返りや体位の変更を容易にし、腰痛・膝痛・踵の床ズレ等苦痛を和らげる器具５・６の利用を可能にした。【選択図】　　図１
0003100093.tif 000002
【実用新案登録請求の範囲】
【請求項１】
就寝者の下半身（腹部から足の先まで）への掛け布団の重圧を排除し、且つ、掛け布団の機能を損なうことなく敷き布団との間に空間を得る器具。
【請求項２】
就寝者の掛け布団の大部分（腹部から足の先まで）が器具を覆う形になり、人体との接触部分が少ないため寝返りによる掛け布団のズレが防止できる機能を有する。
【考案の詳細な説明】
【０００１】
【考案の属する技術分野】
就寝者への掛け布団の重圧を排除する技術分野と、寝返りによる掛け布団のズレを防止する技術分野を兼ね備えた考案である。
【０００２】
【従来の技術】
従来の掛け布団の重圧排除技術は部分的に足のつま先だけのものであり、且つ、大掛かりな装置である、また、掛け布団のズレを防止する技術も大掛かりで、和式寝具・洋式ベッドの両方に適合できるものはない。
【０００３】
【考案が解決しようとする課題】
人生の３分の１は就寝し、なかんずく高齢者は身体、特に下半身に何等かの疾病を抱えている人が多い、こうした状況下で少しでも快適な就寝環境をと考案したのが周りからの負荷のない空間での横臥状態図１を作りだすこと、しかも装置は簡単であること。
【０００４】
【課題を解決するための手段】
快適な就寝環境の空間での横臥状態を作りだすため、鉄製の軽量でシンプルな、半円のワク図２を考案した、上部からの重圧も６０ｋｇ／ｍ２に耐えうる造りとした。
【０００５】
【考案の実施の形態】
考案の鉄製ワク、ガードの装着により就寝者の掛け布団からの重圧はなくなり、下半身が自由になり、寝返りも自在に可能で、掛け布団のズレは心配いらない。
【０００６】
【実施例】
掛け布団３の内側に空間２が出来ることにより、掛け布団の重圧を排除できるのは勿論、下半身に疾病を抱える人の手助けになる各種健康器具（例えば、床ズレ防止パッド６・三角クッション５・体位変換用ラグ）が無理なく使用できるとともに、足の骨折や足首の捻挫でコルセットを装着した状態でも快適な就寝環境が得られる、又、起き上がりに際しての支えにもなる。
【０００７】
【考案の効果】
冬暖かく、夏涼しい、梅雨時の掛け布団のベタつきからも開放され、苦になる掛け布団のズレも解消し、利用者の工夫次第で利用範囲は広がる。
【図面の簡単な説明】
【図１】考案の鉄製ガードを掛け布団の下に装着した状態の断面図である。
【図２】考案した鉄製のガードの立体図である。
【図３】健康器具を使用した状態でのガード利用の断面図である。
【符号の説明】
１　鉄製ガードワク
２　ガードワクにより出来た空間
３　掛け布団
４　ベッドのマット、又は、和式の場合の敷き布団
５　関節痛を和らげる三角クッション
６　床ズレ防止パッド
【図１】
0003100093.tif 000003
【図２】
0003100093.tif 000004
【図３】
0003100093.tif 000005
【手続補正書】
【提出日】平成15年7月22日(2003.7.22)
【手続補正１】
【補正対象書類名】明細書
【補正対象項目名】実用新案登録請求の範囲
【補正方法】変更
【補正の内容】
【実用新案登録請求の範囲】
【請求項１】
間口６０ｃｍ奥行６０ｃｍ中心の高さ３２ｃｍのカマボコ兵舎型の形状で、８ｍｍの丸鋼を用いて４本の半円に曲げた棒鋼と５本の直棒鋼をそれぞれクロスに溶接しで骨格を組み、厚さ４ｍｍ幅１２ｍｍ長さ６００ｍｍの２本の薄板鋼に４本の半円に曲げた棒鋼の両端をそれぞれ溶接した半円筒形の鉄ワク１掛け布団の重圧排除ガードを掛け布団の内側に装着し就寝者の下半身への掛け布団の重圧を排除し、且つ、掛け布団の機能を損なうことなく敷き布団との間に空間を得る重圧排除ガード。
【請求項２】
就寝者の掛け布団の大部分が上記請求項１に記載した形状・構造の半円筒形の鉄ワク１掛け布団の重圧排除ガードを覆う形図１になり、人体との接触部分が少ないため寝返りによる掛け布団のズレが防止できる機能を有する重圧排除ガード。
【手続補正書】
【提出日】平成15年10月6日(2003.10.6)
【手続補正１】
【補正対象書類名】明細書
【補正対象項目名】請求項２
【補正方法】変更
【補正の内容】
【請求項２】
就寝者が寝具に臥した状態において請求項１に記載した形状・構造の半円筒形の鉄ワク１掛け布団の重圧排除ガードを就寝者の腰から足のつま先部分の掛け布団の内側にセットすることにより人体と掛け布団との接触を少なくし寝返りによる掛け布団のズレを防止する機能を有する重圧排除ガード。
(57)【要約】【課題】本考案はマッサージ、押圧、をすることで顔全体がスッキリし元気になるフェイシャル美容機具である。【解決手段】本考案は、つぼ押しげんこつマッサージ具を使うことによって、マッサージ効果をより高め、疲れを取り皮膚の血行を良好にすることによって、顔の表情を豊かにし、より魅力的にする事ができる。【選択図】　図１
0003100094.tif 000002
【実用新案登録請求の範囲】
【請求項１】
両手のげんこつを形どったマッサージ具が特徴である。
げんこつマッサージ具の凸凹部で、マッサージと同時に顔や首のつぼを押圧するつぼ押しげんこつマッサージ具。
【考案の詳細な説明】
【０００１】
【考案の属する技術分野】
本考案は、げんこつの凸凹部が、顔の筋肉のコリ、首のリンパ管の血行、むくみを取り顔を引き締め、小顔にする美容機具である。
【０００２】
【従来の技術】
顔のマッサージ具として、手軽なもので、つぼにピッタリとしない物が多く、力の入り方が強かったり弱かったりし、違和感があり効果が薄かった。
【０００３】
【考案が解決しようとする課題】
顔には、眼輪筋・前頭筋・側頭筋・咬筋・口輪筋・胸鎖乳突筋がありこれらのつぼをげんこつの凸凹部で押すことによって強弱が発生し顔全体の筋肉の疲れがとれ、新陳代謝を活発にする効果がある。
【０００４】
【課題を解決するための手段】
本考案は上記目的を達成するために、マッサージしながら筋肉のつぼの急所が発見でき、さらにつぼにしっつかり入りにがさない、誰にでも簡単に確実にリフレッシュできる。
【０００５】
【考案の実施の形態】
つぼ押しげんこつマッサージ具を左３右４両手に持ち、マッサージ押圧する。
【０００６】
【実施例】
添付図面に従って一実施例を説明する。図１、図２、図３、はポリプロピレン、ＳＢＣ素材のマッサージ具本体である。顔全体、首にマッサージクリームを塗り７の平面を使い円を描く様にマッサージし、５，６の凸凹部で筋肉のつぼ、こめかみ等を押圧、首はマッサージ具の５，６，７、を使い下から上にリンパ管の弁をマッサージする。
【０００７】
【考案の効果】
上述の様に、本考案は顔の筋肉の疲労回復、血行がスムーズに流れることで、むくみ、タルミ、シワ原因である筋肉をやわらげることができ小顔を作り出すことができる。
【図面の簡単な説明】
【図１】本考案のつぼ押しげんこつマッサージ具の実施例を示す正面図（左）である。
【図２】本考案のつぼ押しげんこつマッサージ具の正面図（右）である。
【図３】本考案のつぼ押しげんこつマッサージ具の側面図である。
【符号の説明】
１つぼ押しマッサージ具本体（左）
２つぼ押しマッサージ具本体（右）
３つぼ押しマッサージ具持ち手（左）
４つぼ押しマッサージ具持ち手（右）
５凹凸部
６凹凸部
７平面部
【図１】
0003100094.tif 000003
【図２】
0003100094.tif 000004
【図３】
0003100094.tif 000005
【手続補正書】
【提出日】平成15年10月2日(2003.10.2)
【手続補正１】
【補正対象書類名】明細書
【補正対象項目名】実用新案登録請求の範囲
【補正方法】変更
【補正の内容】
【実用新案登録請求の範囲】
【請求項１】
・両手を形どったマッサージ具
(57)【要約】　　　（修正有）【課題】作業中に、鉄鋼キリが切れにくくなったとき大・小にかかわらず、研磨の技術も必要なく、簡単に、かつ、正確に研磨することができる研磨装置の提供。【解決手段】鉄鋼キリを決った角度で保持固定して移動させ回転する砥石で、刃先の両面を同じ状態に研磨できるようにした。【選択図】　図５
0003100092.tif 000002
【実用新案登録請求の範囲】
【請求項１】
一部が左右に屈折する基盤に、回転する砥石を設ける。
【請求項２】
基盤にそって、前後に移動する鉄鋼キリ保持器を設ける。
【請求項３】
基盤にそって、前後に移動する保持器用のストッパーを設ける。
【請求項４】
鉄鋼キリの刃先の位置決めをするための、Ｖ字形の溝を施した、取りはずしのできる定規板を設ける。
以上を組み合わせた鉄鋼キリ研磨装置。
【考案の詳細な説明】
【０００１】
〔考案が解決しようとする課題〕
刃先が摩耗して、切れにくくなった鉄鋼キリを研磨するとき、手の角度や、力の入れ具合によって、両面の刃先を同じ状態に研磨するのは困難である。
また、角度を決める器具もあるが、仕上の段階では手の感覚にたよるものである。
【０００２】
〔課題を解決するための手段〕
一部が一定の角度で屈折する基盤１、基盤２を設ける。
イ　基盤１に、電気ドリルを用いて回転軸３に接続して回転する砥石４を設ける。
ロ　基盤２にそって前後に移動する鉄鋼キリ保持器５を設ける。
ハ　保持器５を一定の所で止めるために、基盤２にそって前後するストッパー６を設ける。
ニ　鉄鋼キリの両面の刃先の位置を決めるたに、Ｖ字形の溝を施した、取りはずしのできる定規板７を設ける。
以上の部品を組み合わせた鉄鋼キリ砥磨装置の使用方法を、図５の斜視図によって説明すると、点線で示した鉄鋼キリ８を保持器５に挟み、定規板７に刃先を突きあてて水平角度を決めて、ネジ９をまわして押え板１０を押し下げて固定する。
次に、定規板７を上に引きぬく。
次に、砥石４の回転軸３に、電気ドリルを装着させ回転させる。
次に、基盤２をどちらか一方向に限度いっぱいに屈折させて、保持器と伴に鉄鋼キリ８を回転する砥石に向って押しあて刃先を研磨する。
この時点で、ストッパー６を保持器に接してネジ１１で固定する。
次に、保持器を後に移動させ、基盤２を反対側に限度いっぱいに屈折させ、前回と同様にストッパー６が働くまで前に移動することで両面の刃先が同じ状態で研磨できる。
【０００３】
〔考案の効果〕
作業中に、鉄鋼キリが切れにくくなったとき大・小にかかわらず、研磨の技術も必要なく、簡単に、かつ、正確に研磨することができる。
【図面の簡単な説明】
【図１】鉄鋼キリ研磨装置の正面図である。
【図２】鉄鋼キリ研磨装置の平面図である。
【図３】鉄鋼キリ研磨装置の基盤１、２の屈折状態を示す一部平面図である。
【図４】鉄鋼キリ研磨装置の定規板の構造を示す斜視図である。
【図５】鉄鋼キリ研磨装置の斜視図と鉄鋼キリを点線で示したものである。
【符号の説明】
１　基盤　　　　　２　基盤　　　　　３　回転軸
４　砥石　　　　　５　鉄鋼キリ保持器
６　ストッパー　　　　　７定規板
８　鉄鋼キリ　　　　９ネジ　　　　１０　押え板
１１　ネジ
【図１】
0003100092.tif 000003
【図２】
0003100092.tif 000004
【図３】
0003100092.tif 000005
【図４】
0003100092.tif 000006
【図５】
0003100092.tif 000007
【手続補正書】
【提出日】平成15年7月23日(2003.7.23)
【手続補正１】
【補正対象書類名】明細書
【補正対象項目名】実用新案登録請求の範囲
【補正方法】変更
【補正の内容】
【実用新案登録請求の範囲】
【請求項１】
（１）一部が左右に屈折する基盤に、回転する砥石を設ける。
（２）基盤にそって、前後に移動する鉄鋼キリ保持器を設ける。
（３）基盤にそって、前後に移動する保持器用ストッパーを設ける。
（４）鉄鋼キリの刃先の位置決めをするための、Ｖ字形の溝を施した、取りはずしのできる定規板を設ける。
以上を組み合わせた鉄鋼キリ研磨装置。
(57)【要約】
【課題】　本件ハンドルは従来から長年の使用は物理的に不可であり、やむなく取替えハンドルに交換するか、該ハンドルリム部へハンドルカバーを嵌設して使用していた。然し乍らハンドルスポーク上部に車両操作用機構が取着されている場合等にあっては、カバーを用いることは出来ない現況である。　従って極めて高価な新ハンドルと取り替えざるを得ない課題を有した。
【解決手段】　既に使用された自動車用ハンドルの握り部、即ちリム部位を新装して全く新規な自動車用ハンドルを得ることを目的とするものであって、リム部の上部円弧状の装飾握り部及び下部円弧状装飾握り部、側部装飾握り部等を一段とグレードアップした銘木の突板を貼付した純木製の装飾握り部と成すと共に主要握り部の鞣革製部位の革体を任意の色調に張替えることによって全く新規なグレードアップされた自動車用ハンドルを得ることができることを手段とするものである。
【選択図】　図１
0003100006.tif 000002
【実用新案登録請求の範囲】
【請求項１】
　既使用の自動車用ハンドルのリング状リムの円弧状の装飾握り部を銘木の突板を貼付した純木製として構成しグレードアップを実施し再使用を可能とした新規な自動車用ハンドル。
【考案の詳細な説明】
【考案の詳細な説明】
【技術分野】
【０００１】　本考案は専ら乗用自動車のハンドルに関するものであって、特にリサイクリングに係るものである。
【背景技術】
【０００２】　従来、乗用自動車に装着されるハンドルは環状のリング部リムと該リムに数本のスポークを介装して構成されている。【０００３】　近年、自動車用ハンドルの各スポークの中央部位にエアーバックが装着され加えて、スポークの各所に種々の車両操縦用スイッチ等が装置され本件自動車用ハンドルは、年々高機能化される現況にある。
【考案が解決しようとする課題】
【０００４】　本出願の自動車用ハンドルは、車両運行時にあっては、常に運転者の両手で握り持つ必然性を有し、極めて過酷な自動車部品であることは周知である。
【０００５】　上述のように、本件ハンドルは従来から長年の使用は物理的に不可であり、やむなく取替えハンドルに交換するか、該ハンドルリム部へハンドルカバーを嵌設して使用していた。然し乍ら上記のようにハンドルスポーク上部に車両操作用機構が取着されている場合等にあっては、カバーを用いることは出来ない現況である。
【０００６】　従って、新車購入時に取着されていたと同様の新製品を再度着装する場合極めて高価なハンドルを購入せざるを得ず、更に従前に取着されていた無疵のエアーバック、各種の車両操作機構の全てが産業廃棄物として処理されている等前述の無駄を解決しようとするものである。
【課題を解決するための手段】
【０００７】　本考案は上述の課題に鑑み新車購入時に既に装着されていて何等の不都合も存しないエアーバック、車両操縦用機構は原状通りとし、既に使用し、各種の問題が発生したハンドルのリング状のリム部のみを使用者の要求に応じて該グレードをアップし、再使用を行うことを手段とするものである。
【考案を実施するための最良の形態】
【０００８】　自動車用ハンドルの握り部、即ちリム部位を新装して全く新規な自動車用ハンドルを得ることを目的とするものであって、リム部の上部円弧状の装飾握り部及び下部円弧状装飾握り部、側部装飾握り部等を、本件出願人が所有する、特許第２５７８５５４号で開示した純木製ハンドルの製法、特公平２−３６４２７号に明示されている技術を用いて、現在最高級ハンドルとして使用されている合成樹脂形成品の上記円弧状の装飾握り部を更に一段とグレードアップした銘木の突板を貼付した純木製の装飾握り部と成すと共に主要握り部の鞣革製部位の革体を任意の色調に張替えることによって全く新規なグレードアップされた自動車用ハンドルを得ることができるものである。
【実施例】
【０００９】　以下、添付図面に基づいて本考案の実施例を説明する。
図１に示す自動車用ハンドル（１）の環状のリム握り部を新装し、グレードアップする構成としたものであって、ハンドル（１）の上部円弧状装飾部（２）及び下部円弧状装飾部（３）へ銘木の突板を貼付し、図２に示すように内部を凹状に割設した半円形状の円弧状上位装飾片（４）及び下位装飾片（５）を芯金（６）を介在して緊合固着して上部円弧状装飾部（２）及び下部円弧状装飾部（３）をを形成する。
次に主要握り部（７）に張着されている革を任意の色調のものに張り替えて構成したものである。
【考案の効果】
【００１０】　上述のように本考案は、既に使用され使い勝手が不良となった、自動車用ハンドルのリム、握り部をリサイクリングし、安価であり、新規な一段と高級感を演出できる新規な自動車用ハンドルを現出させる極めて有意義な効果を奏でるものである。
【図面の簡単な説明】
【００１１】
【図１】　本考案の新規な自動車用ハンドルの一部を断面状で表した平面説明図である。
【図２】　本考案の新規な自動車用ハンドルの要部断面説明図である。
【符号の説明】
【００１２】１…自動車用ハンドル
２…上部円弧状装飾部
３…下部円弧状装飾部
４…半円形状の上位装飾片
５…半円形状の下位装飾片
６…芯金
７…主要握り部。
【図１】
0003100006.tif 000003
【図２】
0003100006.tif 000004